【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
複数の電池セルを直列接続した複数個のセルグループを直列または直並列に接続した電池モジュールを制御する電池制御装置において、
前記複数個のセルグループを各々制御する複数のセルコントローラＩＣと、
複数のセルコントローラＩＣを前記電池モジュールに接続するために設けられた１つ以上のコネクタとを備え、
前記複数のセルコントローラＩＣは、２つ以上直列に接続した前記セルグループを制御するように連続して設けられた第１および第２のセルコンローラＩＣを含み、
前記第１のセルコンローラＩＣのＧＮＤ端子側配線と前記第２のセルコントローラＩＣのＶＣＣ端子側配線とを前記電池制御装置の外部で電気的に接続することを特徴とする電池制御装置。
【請求項２】
請求項１に記載の電池制御装置において、
前記第１のセルコンローラＩＣのＧＮＤ端子側配線と前記第２のセルコントローラＩＣのＶＣＣ端子側配線とを前記電池制御装置の外部で電気的に接続するための補助接続部材（ピン）を設けたことを特徴とする電池制御装置。
【請求項３】
請求項２に記載の電池制御装置において、
前記１つ以上のコネクタは、前記複数のセルコントローラＩＣに対して１つだけ設けられ、前記補助接続部材（ピン）はそのコネクタに一体に設けられていることを特徴とする電池制御装置。
【請求項４】
請求項２に記載の電池制御装置において、
前記１つ以上のコネクタは前記複数のセルコントローラＩＣの各々に対して１つ設けられ、
前記補助接続部材（ピン）が一体的に設けられた補助コネクタを前記コネクタとは別に設けることを特徴とする電池制御装置。
【請求項５】
請求項２乃至４のいずれか１項に記載の電池制御装置において、
２つの連続したセルコントローラＩＣに対して前記補助接続部材を１つずつ設けることを特徴とする電池制御装置。
【請求項６】
請求項５に記載の電池制御装置において、
前記補助接続部材は、連続して設けられた２以上の複数のセルコントローラＩＣのグループの中の全ての連続した２つのセルコントローラＩＣごとに設けられ、
前記電池制御装置は、前記グループの全ての前記補助接続部材による接続をまとめて行うための電池制御装置側補助コネクタを備えることを特徴とする電池制御装置。
【請求項７】
請求項６に記載の電池制御装置において、
前記グループの最上位のセルコントローラＩＣのＶＣＣ端子側配線と、この最上位のセルコントローラＩＣに接続されたセルグループの最上位の電圧検出線との接続、および前記グループの最下位のセルコントローラＩＣのＧＮＤ端子側配線と、この最下位のセルコントローラＩＣに接続されたセルグループの最下位の電圧検出線とを接続するための接続部材が、前記電池制御装置側補助コネクタと一体に設けられていることを特徴とする電池制御装置。
【請求項８】
請求項２乃至４のいずれかに記載の電池制御装置において、
前記複数のセルコントローラＩＣは、２つ以上のセルコントローラＩＣを含む第１のセルコントローラＩＣグループと、この第１のセルコントローラＩＣグループに連続して設けられ、２つ以上のセルコントローラＩＣを含む第２のセルコントローラＩＣグループとを含み、前記第１のセルコントローラＩＣグループと前記第２のセルコントローラＩＣグループのセットごとに前記補助接続部材を１つ設けることを特徴とする電池制御装置。
【請求項９】
請求項１乃至８のいずれか１項に記載の電池制御装置において、
前記ＧＮＤ端子側配線と前記ＶＣＣ端子側配線の間に電流制限用電子部品が接続されていることを特徴とする電池制御装置。
【請求項１０】
請求項９に記載の電池制御装置において、
前記複数個のセルグループと同数個のセルコントローラＩＣを備え、
前記複数個のセルコントローラＩＣの各々は、各々のセルコントローラＩＣに接続されたセルグループを制御することを特徴とする電池制御装置。
【請求項１１】
請求項１乃至１０のいずれか１項に記載の電池制御装置と、
前記複数の電池セルを直列接続した複数個のセルグループを直列または直並列に接続した電池モジュールと、
前記電池モジュール側のコネクタとを備えることを特徴とする蓄電装置。
【請求項１２】
請求項１１に記載の蓄電装置と、
前記蓄電装置で制御される電力で駆動される走行用電動機とを備えたことを特徴とする電動走行可能な車両。
【手続補正２】
【補正対象書類名】明細書
【補正対象項目名】０００６
【補正方法】変更
【補正の内容】
【０００６】
（１）請求項１に記載の発明は、複数の電池セルを直列接続した複数個のセルグループを直列または直並列に接続した電池モジュールを制御する電池制御装置において、この複数個のセルグループを各々制御する複数のセルコントローラＩＣと、この複数のセルコントローラＩＣを電池モジュールに接続するために設けられた１つ以上のコネクタとを備え、複数のセルコントローラＩＣは、２つ以上直列に接続したセルグループを制御するように連続して設けられた第１および第２のセルコンローラＩＣを含み、第１のセルコンローラＩＣのＧＮＤ端子側配線と第２のセルコントローラＩＣのＶＣＣ端子側配線とを電池制御装置の外部で電気的に接続することを特徴とする電池制御装置である。
（２）請求項２に記載の発明は、請求項１に記載の電池制御装置において、第１のセルコンローラＩＣのＧＮＤ端子側配線と第２のセルコントローラＩＣのＶＣＣ端子側配線とを電池制御装置の外部で電気的に接続するための補助接続部材（ピン）を設けたことを特徴とする。
（３）請求項３に記載の発明は、請求項２に記載の電池制御装置において、１つ以上のコネクタは、複数のセルコントローラＩＣに対して１つだけ設けられ、補助接続部材（ピン）はそのコネクタに一体に設けられていることを特徴とする。
（４）請求項４に記載の発明は、請求項２に記載の電池制御装置において、１つ以上のコネクタは複数のセルコントローラＩＣの各々に対して１つ設けられ、補助接続部材（ピン）が一体的に設けられた補助コネクタを前記コネクタとは別に設けることを特徴とする。
（５）請求項５に記載の発明は、請求項２乃至４のいずれか１項に記載の電池制御装置において、２つの連続したセルコントローラＩＣに対して補助接続部材を１つずつ設けることを特徴とする。
（６）請求項６に記載の発明は、請求項５に記載の電池制御装置において、補助接続部材は、連続して設けられた２以上の複数のセルコントローラＩＣのグループの中の全ての連続した２つのセルコントローラＩＣごとに設けられ、電池制御装置は、このグループの全ての補助接続部材による接続をまとめて行うための電池制御装置側補助コネクタを備えることを特徴とする。
（７）請求項７に記載の発明は、請求項６に記載の電池制御装置において、グループの最上位のセルコントローラＩＣのＶＣＣ端子側配線と、この最上位のセルコントローラＩＣに接続されたセルグループの最上位の電圧検出線との接続、およびグループの最下位のセルコントローラＩＣのＧＮＤ端子側配線と、この最下位のセルコントローラＩＣに接続されたセルグループの最下位の電圧検出線とを接続するための接続部材が、前記電池制御装置側補助コネクタと一体に設けられていることを特徴とする。
（８）請求項８に記載の発明は、請求項２乃至４のいずれか１項に記載の電池制御装置において、複数のセルコントローラＩＣは、２つ以上のセルコントローラＩＣを含む第１のセルコントローラＩＣグループと、この第１のセルコントローラＩＣグループに連続して設けられ、２つ以上のセルコントローラＩＣを含む第２のセルコントローラＩＣグループとを含み、第１のセルコントローラＩＣグループと第２のセルコントローラＩＣグループのセットごとに補助接続部材を１つ設けることを特徴とする。
（９）請求項９に記載の発明は、請求項１乃至８のいずれか１項に記載の電池制御装置において、ＧＮＤ端子側配線とＶＣＣ端子側配線の間に電流制限用電子部品が接続されていることを特徴とする。
（１０）請求項１０に記載の発明は、請求項９に記載の電池制御装置において、複数個のセルグループと同数個のセルコントローラＩＣを備え、この複数個のセルコントローラＩＣの各々は、各々のセルコントローラＩＣに接続されたセルグループを制御することを特徴とする。
（１１）請求項１１に記載の発明は、請求項１乃至１０のいずれか１項に記載の電池制御装置と、複数の電池セルを直列接続した複数個のセルグループを直列または直並列に接続した電池モジュールと、電池モジュール側のコネクタとを備えることを特徴とする蓄電装置である。
（１２）請求項１２に記載の発明は、請求項１１に記載の蓄電装置と、この蓄電装置で制御される電力で駆動される走行用電動機とを備えたことを特徴とする電動走行可能な車両である。